(57)【要約】  例えば積み重ね構成で、連続して配置された複数の発光要素１０ａ、１０ｂ、１０ｃ、１０ｄ、１０ｅ、１０ｆ、１０ｇ、１０ｈを備える照明デバイス２０が開示される。照明デバイス２０は、発光要素１０ａ、１０ｂ、１０ｃ、１０ｄ、１０ｅ、１０ｆ、１０ｇ、１０ｈのうちの少なくともいくつかを相互接続するように構成された少なくとも１つの接続構造体１４、１５、１６、１７を備え、少なくとも１つの接続構造体１４、１５、１６、１７は、発光要素１０ａ、１０ｂ、１０ｃ、１０ｄ、１０ｅ、１０ｆ、１０ｇ、１０ｈのうちの少なくともいくつかに、それぞれの外周面１３で接続されている。照明デバイス２０は、線形光源に沿って周囲に放射状に放射可能であり得る線形光源を形成してもよい。
2020513137.tif 000002
【特許請求の範囲】
【請求項１】
照明デバイスであって、前記照明デバイスは、
複数の発光要素であって、各発光要素が、前記発光要素の一端にある第１の外側端面と、前記発光要素の別端にある第２の外側端面と、前記第１の外側端面と前記第２の外側端面との間に延びる外周面と、を備え、各発光要素が、前記発光要素の前記外周面の少なくとも一部分を少なくとも介して光を放射するように構成されており、各発光要素の前記第１の外側端面及び前記第２の外側端面の少なくとも一方が、前記発光要素のうちの次のものの前記第１の外側端面又は前記第２の外側端面に向かう方向を向くように、前記発光要素が連続して配置されている、複数の発光要素と、
前記発光要素のうちの少なくともいくつかを相互接続するように構成された少なくとも１つの接続構造体であって、前記発光要素のうちの前記少なくともいくつかに、それぞれの外周面で接続されている、少なくとも１つの接続構造体と、を備え、
前記発光要素のそれぞれは、基板と、前記基板の第１の面に配置された発光モジュールと、前記基板の第２の面に配置された反射器と、を備え、前記基板、前記発光モジュール、及び前記反射器は、前記第１の外側端面が前記反射器上に位置し、前記第２の外側端面が前記発光モジュール上に位置するように配置されている、照明デバイス。
【請求項２】
前記発光要素のうちの少なくともいくつかは、前記発光要素のうちの前記少なくともいくつかのそれぞれの前記第１の外側端面及び前記第２の外側端面の少なくとも一方が、前記発光要素のうちの前記少なくともいくつかのうちの次のものの第１の外側端面又は第２の外側端面に結合されるように、積み重ね構成で配置されており、前記少なくとも１つの接続構造体は、前記発光要素のうちの前記少なくともいくつかを積み重ね構成で固定するように構成されている、請求項１に記載の照明デバイス。
【請求項３】
前記発光要素のうちの少なくともいくつかを、それぞれの外周面で相互接続するように構成された複数の接続構造体を備え、前記接続構造体は、前記発光要素のうちの前記少なくともいくつかのそれぞれに、それぞれの外周面上の異なる位置で接続されている、請求項１又は２に記載の照明デバイス。
【請求項４】
前記発光要素のうちの少なくともいくつかを、それぞれの外周面で相互接続するように構成された複数の接続構造体を備え、前記接続構造体のうちの少なくとも１つの第１の接続構造体は、少なくとも第１の複数の前記発光要素を、それぞれの外周面で相互接続するように構成されており、前記接続構造体のうちの少なくとも１つの第２の接続構造体は、少なくとも第２の複数の前記発光要素を、それぞれの外周面で相互接続するように構成されている、請求項１乃至３のいずれか一項に記載の照明デバイス。
【請求項５】
前記発光要素のそれぞれは、基板と、前記基板上に配置された発光モジュールと、を備え、前記基板及び前記発光モジュールは、前記第１の外側端面が前記基板上に位置し、前記第２の外側端面が前記発光モジュール上に位置するように配置されている、請求項１乃至４のいずれか一項に記載の照明デバイス。
【請求項６】
少なくとも１つの接続構造体が、前記発光要素のうちの少なくとも１つに対する電気的接続をもたらすように構成されている、請求項１乃至５のいずれか一項に記載の照明デバイス。
【請求項７】
少なくとも１つの接続構造体が反射性である、請求項１乃至６のいずれか一項に記載の照明デバイス。
【請求項８】
前記発光要素のうちの少なくとも１つは、発光モジュールを備え、前記照明デバイスは、前記発光モジュールによって放射された光の少なくとも一部分を受け、受けた前記光を選択された波長域に変換するように構成された、少なくとも１つの波長変換要素を更に備える、請求項１乃至７のいずれか一項に記載の照明デバイス。
【請求項９】
前記少なくとも１つの接続構造体のうちの少なくとも１つの接続構造体は、熱拡散容量又は能力を呈するように構成されている、請求項１乃至８のいずれか一項に記載の照明デバイス。
【請求項１０】
前記発光要素は、前記照明デバイスの中心軸線に沿う方向に連続して配置されており、前記発光要素のうちの少なくとも１つについて、前記中心軸線と平行な方向における前記発光要素の周面幅が、前記発光要素の前記外周面の異なる部分間で異なっている、請求項１乃至９のいずれか一項に記載の照明デバイス。
【請求項１１】
前記発光要素のうちの少なくとも１つの前記外周面の少なくとも一部分が、平坦ではない、請求項１乃至１０のいずれか一項に記載の照明デバイス。
【請求項１２】
前記発光要素は、前記照明デバイスの中心軸線に沿う方向に連続して配置されており、前記発光要素が配置されている前記照明デバイスの前記中心軸線に沿う方向と垂直な方向で互いにオフセットされるように、少なくとも２つの発光要素が配置されている、請求項１乃至１１のいずれか一項に記載の照明デバイス。
【請求項１３】
前記発光要素は、前記照明デバイスの中心軸線に沿う方向に連続して配置されており、少なくとも２つの発光要素が、前記中心軸線又は前記中心軸線と平行な軸線を中心に互いに対して回転されるように構成されている、請求項１乃至１２のいずれか一項に記載の照明デバイス。
【請求項１４】
請求項１乃至１３のいずれか一項に記載の照明デバイスを少なくとも１つ備える、ランプ又は照明器具。
【発明の詳細な説明】
【技術分野】
【０００１】
本発明は照明デバイスに関する。
【背景技術】
【０００２】
ハロゲンランプ、フィラメントランプ、及び放電ランプは、スポット照明、ステージ照明、投影、及び自動車照明などの様々な用途で使用される。そのようなランプは概して、フィラメント又はアークの形状の発光構成要素を備える。発光構成要素から放射された光は、適切な光学系によって収集され誘導される。例えば、コリメートされた光をランプが出力するために、前述されたようにフィラメント形状又はアーク形状を有し得る発光構成要素は、放物線反射器内に配置される場合がある。そのようなハロゲンランプ、フィラメントランプ、及び放電ランプでは、ランプのサイズを小さくすると同時にランプの輝度を高めることが一般に望まれる。発光ダイオード（light-emitting diode；ＬＥＤ）ベースの照明デバイスなどの固体照明デバイスは、比較的小さく作製され得る。しかし、固体照明デバイスのサイズが単に抑えられただけでは、固体照明デバイスが生成することができる光束が減少し得る。
【発明の概要】
【発明が解決しようとする課題】
【０００３】
上記の説明をふまえて、本発明の課題は、フィラメント又はアークと同様の形状を有する発光構成要素を実現することを容易又は可能にし得るとともに、照明デバイスによる光出力の均一な輝度をもたらすことが可能であり得る、照明デバイスを提供することである。
【０００４】
本発明の更なる課題は、フィラメント又はアークと同様の形状を有する発光構成要素を実現することを容易又は可能にし得るとともに、例えば、ハロゲンランプ、フィラメントランプ、又は放電ランプと比較して、相対的に小さなサイズを有し得る、照明デバイスを提供することである。
【課題を解決するための手段】
【０００５】
これらの課題及び他の課題のうちの少なくとも１つに対処するために、独立請求項に記載の照明デバイスが提供される。従属請求項によって、好ましい実施形態が定義される。
【０００６】
本発明の第１の態様によれば、照明デバイスが提供される。照明デバイスは、複数の発光要素を備える。各発光要素は、発光要素の一端にある第１の外側端面と、発光要素の別端にある第２の外側端面と、第１の外側端面と第２の外側端面との間に延びる外周（又は、側）面と、を備える。各発光要素は、発光要素の外周面の少なくとも一部分を少なくとも介して光を放射するように構成されている。発光要素は、各発光要素の第１の外側端面及び第２の外側端面の少なくとも一方が、発光要素のうちの次のもの又は別の１つの第１の外側端面又は第２の外側端面に向かう方向を向くように、連続して配置されている。照明デバイスは、発光要素のうちの少なくともいくつかを相互接続するように構成された少なくとも１つの接続構造体を備える。少なくとも１つの接続構造体は、（少なくとも１つの接続構造体を用いて相互接続されている）発光要素のうちの少なくともいくつかに、それぞれの外周面で接続されている。
【０００７】
各発光要素の第１の外側端面及び第２の外側端面の少なくとも一方が、発光要素のうちの次のものの第１の外側端面又は第２の外側端面に向かう方向を向くように、発光要素を連続して配置することにより、かつ、各発光要素が、発光要素の外周面の少なくとも一部分を少なくとも介して光を放出するように構成されていることにより、照明デバイスは、線形光源に沿って周囲に放射状に放射できる線形光源を形成してもよく、このことは、照明デバイスによる光出力の均一な輝度及び／又は均一なカラーポイントを実現することを容易又は可能にし得る。また、照明デバイスによる光出力の比較的高い輝度が、実現され得る。また、それにより、例えば、フィラメント又はアークと同様の形状を有し得るとともに、例えば、フィラメント又はアークの形状の発光構成要素を有するように構成されたハロゲンランプ、フィラメントランプ、又は放電ランプと比較して、相対的に小さなサイズを有し得る、発光構成要素が実現され得る。
【０００８】
また、各発光要素の第１の外側端面及び第２の外側端面の少なくとも一方が、発光要素のうちの次のものの第１の外側端面又は第２の外側端面に向かう方向を向くように、発光要素を連続して配置することにより、照明デバイスの温度管理が促進され得る。発光要素内で作動時（例えば、発光時）に発生した熱は、発光要素の周辺に均一に分散しない場合がある。例えば、直接発光ＬＥＤは、ＬＥＤの一面（例えば、背面）で、他の面よりも多くの熱を発生させることがある。別の例によれば、特定の蛍光体変換ＬＥＤは、ＬＥＤ上の他の位置と比較して、ストークス損失により、ＬＥＤ上に蛍光体が配置されているＬＥＤ上の位置でより多くの熱を発生させ得る。各発光要素の第１の外側端面及び第２の外側端面の少なくとも一方が、発光要素のうちの次のものの第１の外側端面又は第２の外側端面に向かう方向を向くように、発光要素を連続して適切に配置することにより、発光要素は、異なる発光要素の特定の面又は表面が向かい合うように配置されてもよく、このことは、いわゆるホットスポットの防止を容易にし得る。
【０００９】
発光要素のそれぞれは、基板と、基板の第１の面に配置された発光モジュールと、基板の第２の面に配置された反射器と、を備え、基板、発光モジュール、及び反射器は、第１の外側端面が反射器上に位置し、第２の外側端面が発光モジュール上に位置するように配置されている。このことは、照明デバイスによる光出力の比較的高く均一な輝度を実現することを更に容易にし得る。これは、発光モジュールによって放射された光の少なくとも一部が、反射器によって外周面の方に向け直されるためである。
【００１０】
本発明の１つ以上の実施形態によれば、反射器は、好ましくは８０％超、より好ましくは８５％超、最も好ましくは８８％超、例えば９２又は９５％の反射率を有してもよい。反射器の反射率が高いほど、照明デバイスによる光出力の輝度が高くなる。
【００１１】
本発明の１つ以上の実施形態によれば、反射器は、拡散反射をもたらし得る。得られる効果は、照明デバイスによる光出力の輝度の向上である。これは、光が他の角度に向け直されるためである。
【００１２】
本発明の１つ以上の実施形態によれば、発光要素は、一連の発光要素における最初の発光要素及び一連の発光要素における最後の発光要素を除いて（一連の発光要素における最初の発光要素及び最後の発光要素は、一面によってのみ別の（次の）発光要素に向き得る）、発光要素のそれぞれの第１の外側端面が、発光要素のうちの次のものの第２の外側端面に向かう方向を向くように連続して配置されてもよい。このことは、照明デバイスによる光出力の均一な輝度を実現することを更に促進し得る。これは、放射光の強度が、一連の発光要素の長さに沿って比較的一定となり得るためである。このことはまた、発光要素が、作動時（例えば、発光時）に内部で発生した熱が、発光要素のそれぞれの周辺にわたって均一に分散し得ないようなものである場合に、いわゆるホットスポットを防止することを更に容易にし得、一連の発光要素における２つの連続した発光要素など、一連の発光要素における発光要素を配置することにより、比較的多くの熱を発生し得る１つの発光要素の面（例えば、第１の外側端面）が、比較的少ない熱を発生し得る他の発光要素の面（第２の外側端面）の方に向けられる。したがって、一連の発光要素における２つの連続した発光要素について、比較的多くの熱を発生し得る発光要素のそれぞれの面が、互いに向かい合わなくてもよい。
【００１３】
（少なくとも１つの接続構造体によって相互接続されている）発光要素のうちの少なくともいくつかは、積み重ね構成で配置されてもよい。発光要素のうちの少なくともいくつかは、発光要素のうちの少なくともいくつかのそれぞれの第１の外側端面及び第２の外側端面の少なくとも一方が、発光要素のうちの少なくともいくつかのうちの次のものの第１の外側端面又は第２の外側端面に結合されるように、積み重ね構成で配置されてもよい。少なくとも１つの接続構造体は、発光要素のうちの少なくともいくつかを積み重ね構成で固定するように配置されてもよい。
【００１４】
発光要素は、例えば、ＬＥＤを備えてもよく、又はＬＥＤによって構成されてもよく、ＬＥＤは側面発光ＬＥＤでもよい。したがって、本発明の１つ以上の実施形態によれば、照明デバイスは、積み重ね構成で配置されるとともに、積み重ね構成にあるそれぞれのＬＥＤの外周面で相互接続された、側面発光ＬＥＤを備えてもよい。積み重ね構成にある（場合によっては側面発光）ＬＥＤは、例えば、チップスケールパッケージ（Chip Scale Package；ＣＳＰ）ＬＥＤを備えてもよい。ＣＳＰ  ＬＥＤのそれぞれは、サブマウントを介さずに基板に直接取り付けられたＬＥＤダイを備えてもよい。基板は、例えば、サファイア基板を備えてもよい。
【００１５】
例えばＬＥＤを備える発光要素の全て又は少なくともいくつかは、同じか又は同様の種類でもよい。発光要素の全て又は少なくともいくつかは、発光要素のそれぞれの放射光が、同じか又は同様の発光特性を呈するように構成されてもよい。
【００１６】
発光要素の全て又は少なくともいくつかは、（約）１０００Ｋ〜（約）２００００Ｋ、（約）２０００Ｋ〜（約）１００００Ｋ、又は（約）２５００Ｋ〜（約）６０００Ｋの範囲の色温度を有する白色光を放射するように構成されてもよい。発光要素の全て又は少なくともいくつかは、黒体軌跡（Black Body Locus；ＢＢＬ）から２０等色標準偏差内（Standard Deviations of Color Matching；ＳＤＣＭ）内、ＢＢＬから１０ＳＤＣＭ内、又はＢＢＬから５ＳＤＣＭ内の白色光を放射するように構成されてもよい。発光要素の全て又は少なくともいくつかは、少なくとも６０の演色評価数（color rendering index；ＣＲＩ）、少なくとも７０のＣＲＩ、又は少なくとも８０のＣＲＩを有する白色光を放射するように構成されてもよい。
【００１７】
発光要素の全て又は少なくともいくつかは、同じか又は同様な幾何学的寸法を有するように成形されてもよい。例えばＬＥＤを備える発光要素のいずれか１つ又はそれぞれは、例えば、互いに垂直又は実質的に垂直な方向に延び得る、高さＨ、第１の幅Ｗ１、及び第２の幅（又は奥行き）Ｗ２を有するように成形されてもよい。第１の幅Ｗ１は、例えば、０．５ｍｍ〜１０ｍｍ、例えば、１ｍｍ〜２ｍｍの範囲でもよい。第２の幅Ｗ２は、例えば、０．５ｍｍ〜１０ｍｍ、例えば、１ｍｍ〜２ｍｍの範囲でもよい。第１の幅Ｗ１は、第２の幅Ｗ２と同じか又は実質的に同じでもよい。発光要素を、第１の幅Ｗ１が第２の幅Ｗ２と同じか又は実質的に同じとなるように構成することにより、照明デバイスによる光出力の比較的高い輝度を実現することが容易になり得る。
【００１８】
フィラメント又はアークと同様の（又はフィラメント若しくはアークを模倣するような）形状を有する発光構成要素を実現することを容易にするために、照明デバイス内の発光要素の数は、特定の数を超えるように選択されてもよい。例えば、照明デバイス内の発光要素の数は、６個より多くてもよく、８個より多くてもよく、又は１０個より多くてもよい。また、照明デバイス内に比較的多数の発光要素を設けることにより、照明デバイスによる光出力の比較的多くの光束が、実現され得る。
【００１９】
照明デバイスによって実現された、フィラメント又はアークと同様の形状を有する発光構成要素は、互いに垂直又は実質的に垂直な方向に延び得る、長さＬ、第１の幅Ｗ３、及び第２の幅Ｗ４を有するように成形されてもよい。長さＬは、第１の幅Ｗ３及び／又は第２の幅Ｗ４の少なくとも５倍（又は少なくとも８倍、又は少なくとも１０倍）でもよい。これにより、照明デバイスによる光出力の比較的多くの光束が実現され得、発光構成要素がフィラメント又はアークを模倣することが容易になり得る。
【００２０】
照明デバイスによって実現された、フィラメント又はアークと同様の形状を有する発光構成要素は、全体発光領域Ａを有してもよく、これは（約）４０ｍｍ２以上でもよい。照明デバイスによる光出力の光束は、（約）２０００ｌｍ以上でもよい。したがって、照明デバイスによる光出力の強度は、（約）５０ｌｍ／ｍｍ２でもよい。照明デバイスによる光出力の最小の強度又は輝度は、少なくとも２５ｌｍ／ｍｍ２、又は少なくとも４０ｌｍ／ｍｍ２、又は少なくとも５０ｌｍ／ｍｍ２、又はそれより大きくてもよい。
【００２１】
発光要素のうちの少なくともいくつかのそれぞれの第１の外側端面及び第２の外側端面の少なくとも一方は、発光要素のうちの少なくともいくつかのうちの次のものの第１の外側端面又は第２の外側端面に直接結合されてもよい。しかし、発光要素のうちの少なくともいくつかのそれぞれの第１の外側端面及び第２の外側端面の少なくとも一方は、例えば、１つ以上の中間構成要素（例えば、基板）を介して、発光要素のうちの少なくともいくつかのうちの次のものの第１の外側端面又は第２の外側端面に間接的に結合されてもよい。
【００２２】
照明デバイスは、複数の接続構造体を備えてもよく、これらは、発光要素のうちの少なくともいくつかを、それぞれの外周面で相互接続するように構成されてもよい。接続構造体は、発光要素のうちの少なくともいくつかのそれぞれに、それぞれの外周面上の異なる位置で接続されてもよい。接続構造体は、接続構造体を互いに離間させながら、発光要素のうちの少なくともいくつかのそれぞれに接続されてもよい。発光要素のうちの少なくともいくつかを、それぞれの外周面で相互接続するように構成されたいくつかの接続構造体を設けることにより、発光要素の連続配置又は積み重ね構成の相互接続における比較的高い信頼性が実現され得る。
【００２３】
本発明の１つ以上の実施形態によれば、接続構造体のうちの少なくとも１つの第１の接続構造体が、少なくとも第１の複数の発光要素を、それぞれの外周面で相互接続するように構成されてもよい。接続構造体の少なくとも１つの第２の接続構造体が、少なくとも第２の複数の発光要素を、それぞれの外周面で相互接続するように構成されてもよい。第１の接続構造体及び第２の接続構造体は、例えば、第１の複数の発光要素及び第２の複数の発光要素のそれぞれに対する電気的接続をもたらすように構成されてもよい。その目的で、例えば、電極及びカソードとしてそれぞれ作用する少なくとも２つの第１の接続構造体と、電極及びカソードとしてそれぞれ作用する少なくとも２つの第２の接続構造体とが設けられてもよい。発光要素は、例えば、前述されたようにＬＥＤ、又は、例えば放射光の色温度若しくは強度に関して、制御可能であり得る別の又は他の種類の固体発光要素を備えてもよい。第１の複数の発光要素及び第２の複数の発光要素に対する電気的接続をそれぞれもたらす第１の接続構造体及び第２の接続構造体を有することにより、第１の複数の発光要素及び第２の複数の発光要素はそれぞれ、例えば放射光の色温度又は強度に関して、別々に制御されることができる。
【００２４】
発光要素のいずれか１つ又はそれぞれは、基板と、基板上に配置された発光モジュールと、を備えてもよい。基板及び発光モジュールは、第１の外側端面が基板上に位置し、第２の外側端面が発光モジュール上に位置するように配置されてもよい。基板は、例えば、少なくとも部分的にサファイアで作製されてもよい。前述されたように、発光要素のいずれか１つ又はそれぞれは、例えば、基板（例えば、サファイア基板）に直接取り付けられ得るＬＥＤダイの形態の発光モジュールを備える少なくとも１つのＣＳＰ  ＬＥＤを備えてもよい。したがって、発光モジュールは、例えば、少なくとも１つのＣＳＰ  ＬＥＤ及び／又は別の種類のＬＥＤを備えてもよく、あるいは少なくとも１つのＣＳＰ  ＬＥＤ及び／又は別の種類のＬＥＤによって構成されてもよい。
【００２５】
前述されたように、少なくとも１つの接続構造体が、発光要素のうちの少なくとも１つに対する電気的接続をもたらすように構成されてもよい。その目的で、例えば、電極及びカソードとしてそれぞれ作用する少なくとも２つの接続構造体が設けられてもよい。したがって、少なくとも１つの接続構造体が、発光要素を相互接続する手段を提供することに加えて、それらに電力供給する手段も提供してもよい。発光要素によって放射された光を遮断する可能性がある任意の更なる電気的接続（例えば、配線など）の必要性が、これによって低減される又は排除さえされ得る。少なくとも１つの接続構造体は、発光要素のうちの少なくとも１つを電源に電気的に接続するように構成されてもよい。少なくとも１つの接続構造体は、発光要素のうちの少なくともいくつかを直列に電気的に接続するように構成されてもよい。
【００２６】
代わりに又は加えて、少なくとも１つの接続構造体は反射性でもよい。少なくとも１つの接続構造体を反射性となるように構成することにより、発光要素によって放射された光の少なくとも１つの接続構造体によるなんらかの吸収により生じる光損失も低減される又は排除さえされ得る。
【００２７】
発光要素のうちの少なくとも１つは、発光モジュールを備えてもよい。照明デバイスは、少なくとも１つの波長変換要素を備えてもよい。少なくとも１つの波長変換要素は、発光モジュールによって放射された光の少なくとも一部分を受け、受けた光を選択された波長域に変換するように構成されてもよい。場合によっては、発光要素のそれぞれが、発光モジュールによって放射された光の少なくとも一部分を受け、受けた光を選択された波長域に変換するように構成された少なくとも１つの波長変換要素を備えるように、場合によっては、発光モジュールのそれぞれについて、少なくとも１つの波長変換要素が設けられてもよい。
【００２８】
例えば少なくとも１つの波長変換要素は、例えば、１つ以上の蛍光体を含む（１つ以上の発光モジュール上の）波長変換材料の層又はコーティングを備えてもよい。代わりに又は加えて、少なくとも１つの波長変換要素は、量子閉じ込め構造体、ランタニド錯体、及び希土類金属元素の群における１つ以上の要素から選択される発光材料の層又はコーティングを備えてもよい。発光要素のいくつか又は全てさえも、それぞれの発光モジュールを備えてもよく、発光モジュールには、例えば１つ以上の蛍光体を含む、波長変換材料の共通のコーティングが設けられてもよい。１つ以上の発光モジュールには、少なくとも１つの波長変換要素が設けられてもよいが、１つ以上の発光要素（又は発光モジュール）は、少なくとも１つの波長変換要素を備えなくてもよい。
【００２９】
少なくともいくつかの発光要素は、それぞれの発光モジュールを備えてもよく、発光モジュールには、少なくとも１つの波長変換要素が設けられてもよい。異なる発光モジュールには、異なる波長変換要素、例えば、異なる種類の波長変換要素が設けられてもよい。例えば、異なる発光モジュールには、異なる発光要素が異なる色の光を放射できるように、異なる波長変換材料で作製された波長変換要素が設けられてもよい。
【００３０】
少なくとも１つの接続構造体は、熱拡散容量又は能力を呈するように構成されてもよい。少なくとも１つの接続構造体は、少なくとも１つの接続構造体によって相互接続された発光要素のうちの少なくともいくつかによって発生されたあらゆる熱が、それぞれの発光要素から離れるように伝達するように構成されてもよい。したがって、少なくとも１つの接続構造体は、発光要素を相互接続する手段を提供することに加えて、照明デバイスの熱管理のため手段も提供し得る。
【００３１】
発光要素は、照明デバイスの中心軸線に沿う方向に連続して配置されてもよい。発光要素のうちの少なくとも１つについて、中心軸線と平行な方向における発光要素の周面幅が、発光要素の外周面の異なる部分間で異なってもよい。つまり、中心軸線と平行な方向における発光要素の周面幅は、発光要素の外周面の異なる部分で異なってもよい。
【００３２】
例えば、発光要素のうちの少なくとも１つについて、発光要素の第１の外側端面及び第２の外側端面は、平坦又は実質的に平坦でもよい。発光要素のうちの少なくとも１つについて、発光要素の第１の外側端面と発光要素の第２の外側端面とは、互いに角度をなして配置されてもよい。つまり、発光要素のうちの少なくとも１つは、発光要素の第１の外側端面と発光要素の第２の外側端面とが平行にならないように配置されてもよい。そのような構成は、少なくとも１つの発光要素からの、少なくとも外周面を介した光の放射を促進し得る。
【００３３】
発光要素のうちの少なくとも１つの外周面の少なくとも一部分は、平坦でもよい。
【００３４】
発光要素のうちの少なくとも１つの外周面の少なくとも一部分は、平坦でなくてもよい。このことは、照明デバイスによる光出力の均一な輝度を実現することを容易にし得る。例えば、発光要素のうちの少なくとも１つの外周面の少なくとも一部分は、外周面の少なくとも一部分を介して放射される光の所望の分布又は形状を得るような方式で成形されてもよい。
【００３５】
発光要素は、照明デバイスの中心軸線に沿う方向に連続して（例えば、積み重ねられて）配置されてもよい。
【００３６】
少なくとも２つの発光要素は、発光要素が配置されている照明デバイスの中心軸線に沿う方向と垂直な方向で互いにオフセット又はシフトされるように構成されてもよい。このことは、照明デバイスによる光出力の均一な輝度を実現することを更に容易にし得る。
【００３７】
代わりに又は加えて、少なくとも２つの発光要素は、中心軸線又は中心軸線と平行な軸線を中心に互いに対して回転されるように構成されてもよい。このことは、照明デバイスによる光出力の均一な輝度を実現することを更に容易にし得る。
【００３８】
場合によっては、少なくとも２つの発光要素は、発光要素が配置されている照明デバイスの中心軸線に沿う方向と垂直な方向で互いにオフセットされるように、かつ中心軸線又は中心軸線と平行な軸線を中心に互いに対して回転されるように構成されてもよい。
【００３９】
少なくとも２つの発光要素の互いに対する任意のオフセット及び／又は回転は、比較的小さくてもよいが、照明デバイスによる光出力の輝度の均一性を高め得る。
【００４０】
発光要素又は発光モジュールのそれぞれ又はいずれか１つは、例えば、固体光エミッタを備えてもよく、又は固体光エミッタによって構成されてもよい。固体光エミッタの例としては、発光ダイオード（ＬＥＤ）及び有機ＬＥＤ（organic LED；ＯＬＥＤ）が挙げられる。固体光エミッタは、一般に、比較的安価であり、比較的高い光学効率及び比較的長い寿命を有するため、比較的コスト効率が高い光源である。しかし、本出願の文脈において、用語「発光要素」又は「発光モジュール」とは、例えば、電位差を印加するか又は電流を導通させることによって作動されると、例えば、可視領域、赤外領域、及び／又は紫外領域のうちのいずれかの領域又は領域の組み合わせの電磁スペクトルの放射線を放射することが可能な、実質的に任意のデバイス又は要素を意味するものと理解されたい。それゆえ、発光要素又は発光モジュールは、単色、準単色、多色、又は広帯域の、スペクトル放射特性を有することができる。発光要素又は発光モジュールの例としては、半導体、有機又はポリマー／高分子ＬＥＤ、紫色ＬＥＤ、青色ＬＥＤ、光励起蛍光体被覆ＬＥＤ、光励起ナノ結晶ＬＥＤ、又は、当業者によって容易に理解されるであろう任意の他の同様のデバイスが挙げられる。更には、発光要素又は発光モジュールという用語は、本発明の１つ以上の実施形態によれば、特定の発光要素又は発光モジュールが内部に位置決め又は配置されるハウジング又はパッケージと組み合わされている、放射線を放射する特定の発光要素又は発光モジュールの組み合わせを意味することができる。例えば、発光要素又は発光モジュールという用語は、ＬＥＤパッケージと称され得る、ハウジング内に配置されているベアＬＥＤダイを包含してもよい。別の例によれば、発光要素又は発光モジュールは、サブマウントを介さずにプリント回路基板（Printed Circuit board；ＰＣＢ）などの基板に直接取り付けられたＬＥＤダイを備え得る、ＣＳＰ  ＬＥＤを備えてもよい。
【００４１】
本発明の第２の態様によれば、第１の態様による照明デバイスを少なくとも１つ備える、ランプ又は照明器具が提供される。ランプは、例えば、ハロゲンなどのフィラメントランプ、白熱交換ランプ、又は高圧ナトリウム交換ランプなどのアークランプを備えてもよい。照明器具は、例えば、街路照明器具又は街路灯を含んでもよい。ランプ又は照明器具は、例えば、デジタル投影、自動車照明、ステージ照明、店舗照明、家庭照明、アクセント照明、スポット照明、劇場照明、光ファイバ照明、表示システム、警告照明システム、医療照明用途、装飾的照明用途のうちの１つ以上の用途に使用されてもよい。
【００４２】
以下では、本発明の更なる目的及び利点が、例示的実施形態によって以下に説明される。本発明は、請求項に列挙される特徴の全ての可能な組み合わせに関するものである点に留意されたい。添付の請求項及び本明細書の説明を検討することにより、本発明の更なる特徴及び利点が明らかとなるであろう。当業者は、本明細書で説明される実施形態以外の実施形態を作り出すために、本発明の種々の特徴が組み合わせられることができる点を理解する。
【図面の簡単な説明】
【００４３】
以下では、本発明の例示的実施形態が、添付図面を参照して説明される。
【図１】本発明の一実施形態による発光要素の極めて概略的な図である。
【図２】本発明の実施形態による照明デバイスの極めて概略的な側面図である。
【図３】本発明の実施形態による照明デバイスの極めて概略的な側面図である。
【図４】本発明の実施形態による照明デバイスの極めて概略的な側面図である。
【図５】本発明の一実施形態による照明デバイスの上方からの極めて概略的な図である。
【図６】本発明の実施形態による照明デバイスの極めて概略的な側面図である。
【図７】本発明の実施形態による照明デバイスの極めて概略的な側面図である。
【図８】本発明の実施形態による照明デバイスの極めて概略的な側面図である。
【図９】本発明の実施形態による照明デバイスの極めて概略的な側面図である。
【図１０】本発明の実施形態によるランプの概略図である。
【図１１】本発明の実施形態によるランプの概略図である。
【図１２】本発明の一実施形態による照明器具の概略図である。
【００４４】
全ての図は、概略的であり、必ずしも正確な縮尺ではなく、全般的に、本発明の実施形態を明確化するために必要な部分のみを示しており、他の部分は、省略されるか又は単に示唆される場合がある。
【発明を実施するための形態】
【００４５】
以下に、本発明の例示的実施形態が示されている添付図面を参照して、本発明が以降で説明される。しかしながら、本発明は、多くの異なる形態で具現化されてもよく、本明細書に記載の、本発明の実施形態に限定されるものとして解釈されるべきではなく、むしろ、本発明のこれらの実施形態は、本開示が、本発明の範囲を当業者に伝えるように、例として提供されている。図面では、別段の指定のない限り、同一の参照数字は、同じ又は同様の機能を有する、同じ又は同様の構成要素を示す。
【００４６】
図１は、本発明の一実施形態による発光要素１０の極めて概略的な図である。本発明の示される実施形態によれば、発光要素１０は、チップスケールパッケージ（ＣＳＰ）ＬＥＤ１の形態の側面発光型発光ダイオード（ＬＥＤ）を備える発光モジュール１を備える。図１に示されるように、ＬＥＤ１には、ＬＥＤ１上の波長変換材料コーティングの形態の波長変換要素２が設けられてもよい。波長変換材料コーティングは、例えば、１つ以上の蛍光体を含んでもよい。波長変換要素２は、ＬＥＤ１によって放射された光の少なくとも一部分を受け、受けた光を発光要素１０によって出力され得る選択された波長域に変換するように構成されている。
【００４７】
図２は、本発明の一実施形態による照明デバイス２０の極めて概略的な図である。照明デバイス２０は、複数の発光要素１０ａ、１０ｂ、１０ｃ、１０ｄ、１０ｅ、１０ｆを備える。図２に示される本発明の実施形態によれば、発光要素１０ａ〜１０ｆのそれぞれは、発光モジュールと、発光モジュール上の波長変換材料コーティングの層の形態の波長変換要素とを備える。発光要素１０ａ、１０ｂ、１０ｃ、１０ｄ、１０ｅ、１０ｆのそれぞれは、例えば、図１に示された発光要素１０と同じか又は同様に構成されてもよい。照明デバイス２０に含まれる発光要素の数は例によるものであり、照明デバイス２０に含まれる発光要素の数は、図２に示されるより少なくても多くてもよいことを理解されたい。図２に示される発光要素１０ａ〜１０ｆの形状は例によるものであり、図２に示される発光要素１０ａ〜１０ｆのそれぞれ又はいずれか１つの形状は、図２に示されるものとは異なってもよいことを更に理解されたい。
【００４８】
各発光要素１０ａ〜１０ｆは、発光要素１０ａ〜１０ｆの一端にある第１の外側端面１１と、発光要素の別端にある第２の外側端面１２と、第１の外側端面と第２の外側端面との間に延びる外周面１３とを備える。図２において、第１の外側端面１１、第２の外側端面１２、及び外周面１３は、発光要素１０ａ、１０ｂ及び１０ｆについてのみ参照数字で示されている。
【００４９】
発光要素１０ａ〜１０ｆのそれぞれは、発光要素１０ａ〜１０ｆの外周面１３の少なくとも一部分を少なくとも介して光を放射するように構成されている。
【００５０】
発光要素１０ａ〜１０ｆは、各発光要素１０ａ〜１０ｆの第１の外側端面１１及び第２の外側端面１２の少なくとも一方が、発光要素１０ａ〜１０ｆのうちの次のものの第１の外側端面１１又は第２の外側端面１２に向かう方向を向くように、連続して配置されている。場合によっては、図２に示されるように、隣り合う発光要素１０ａ〜１０ｆ間に（比較的小さな）距離が存在してもよい。隣り合う発光要素間の距離は、図２に示されるように、隣り合う発光要素の１つ以上の対の中間に配置され得るスペーサ（図２には示されていない）によってもたらされてもよい。比較的薄い反射性のスペーサが、光を反射するために使用されてもよい。そのようなスペーサにより、照明デバイス２０の発光要素による光損失が比較的小さく保たれてもよく、それにより、照明デバイス２０によって放射される光の輝度が比較的高められ得る。スペーサは、非導電性であるか又は電気絶縁性である層を形成してもよく、それにより、隣り合う発光要素が、互いに電気的に絶縁され得る。スペーサは、代わりに又は加えて、光をガイドするように構成されてもよい。例えば、スペーサは、比較的薄いセラミック又はガラス板を備えてもよく、発光要素によって放射された光は、光ガイド能力を有するスペーサに結合されてもよく、それにより、光が照明デバイス２０から出力されることを容易にする。
【００５１】
スペーサは、電気絶縁性材料で作製されてもよい。
【００５２】
スペーサは、熱伝導性材料で作製されてもよい。このことは、照明デバイス２０の温度管理を向上させるとともに、発光要素１０ａ〜１０ｆの１つ以上によって発生した熱を除去するのに役立ち得る。スペーサの熱伝導率は、少なくとも４００Ｗｍ−１Ｋ−１でもよい。いくつかの例によれば、スペーサの熱伝導率は、少なくとも１５０Ｗｍ−１Ｋ−１又は少なくとも１８０Ｗｍ−１Ｋ−１でもよい。例えば、スペーサは、アルミニウム、鉄、鋼、及び／又は銅などの１つ以上の金属又は金属材料で作製されてもよい。例えば、アルミニウム製の任意のスペーサの熱伝導率は、約２００Ｗｍ−１Ｋ−１でもよく、銅製の任意のスペーサの熱伝導率は、約４００Ｗｍ−１Ｋ−１でもよく、サファイア製の任意のスペーサの熱伝導率は、約１００Ｗｍ−１Ｋ−１でもよい。発光要素１０ａ〜１０ｆは、発光要素１０ａ〜１０ｆのそれぞれの第１の外側端面１１及び第２の外側端面１２の少なくとも一方が、発光要素１０ａ〜１０ｆのうちの次のものの第１の外側端面１１又は第２の外側端面１２に結合されるように、場合によっては直接結合されるように、積み重ね構成で配置することができる。発光要素１０ａ〜１０ｆのそれぞれの第１の外側端面１１及び第２の外側端面１２の少なくとも一方は、場合によっては、例えば、１つ以上の中間構成要素（例えば、基板）を介して、発光要素１０ａ〜１０ｆのうちの次のものの第１の外側端面１１又は第２の外側端面１２に間接的に結合されてもよい。
【００５３】
各発光要素１０ａ〜１０ｆは、基板と、基板上に配置された発光モジュールとを備えてもよい。発光要素１０ａ〜１０ｆのそれぞれについて、基板及び発光モジュールは、第１の外側端面１１が基板上に位置し、第２の外側端面１２が発光モジュール上に位置するように配置されてもよい。前述されたように、各発光要素１０ａ〜１０ｆは、例えば、ＣＳＰ  ＬＥＤを備えてもよく、又はＣＳＰ  ＬＥＤによって構成されてもよく、ＣＳＰ  ＬＥＤは、サブマウントを介さずに基板に直接取り付けられたＬＥＤダイを備えてもよい。基板は、例えば、サファイア基板を備えてもよい。前述の説明に照らすと、発光要素１０ａ〜１０ｆは、したがって、（サファイア）基板上に積み重ねられるように構成されることができる。
【００５４】
照明デバイス２０は、発光要素１０ａ〜１０ｆを相互接続するように構成された２つの接続構造体１４、１５を備える。図２に概略的に示されるように、接続構造体１４、１５は、発光要素１０ａ〜１０ｆのそれぞれに、それぞれの外周面１３で接続されている。図２に示される本発明の実施形態によれば、接続構造体１４、１５は、発光要素１０ａ〜１０ｆを連続配置又は積み重ね構成で固定するように構成されている。照明デバイス２０に含まれる接続構造体の数は例によるものであり、照明デバイス２０に含まれる接続構造体の数は、図２に示されるより少なくても多くてもよいことを理解されたい。図２に示される接続構造体１４、１５の形状又は形態は例によるものであり、図２に示される接続構造体１４、１５のそれぞれ又はいずれか１つの形状又は形態は、図２に示されるものとは異なってもよいことを更に理解されたい。したがって、図２（及び他の図）は、真っ直ぐな又は実質的に真っ直ぐな細長い部材として接続構造体１４、１５を示しているが、このことは必須ではない。例えば、図２に示される（又は本明細書に記載される本発明の他のいずれかの実施形態の）接続構造体１４、１５の１つ以上は代わりに、一連の発光要素１０ａ〜１０ｆにおける発光要素１０ａ〜１０ｆのうちの少なくともいくつかを取り囲む螺旋形状を呈するように構成されることができる。
【００５５】
図２は、接続構造体１４、１５のそれぞれが、発光要素１０ａ〜１０ｆの全てを相互接続するように構成されることを示しているが、このことは必須ではない。例えば、接続構造体１４は、発光要素１０ａ〜１０ｆのいくつかを相互接続するように構成することができ、接続構造体１５は、発光要素１０ａ〜１０ｆのいくつかを相互接続するように構成することができる。場合によっては、接続構造体１４は、発光要素１０ａ〜１０ｆのうちの第１のセットを相互接続するように構成することができ、接続構造体１５は、発光要素１０ａ〜１０ｆのうちの第２のセットを相互接続するように構成することができる。これにより、接続構造体１４は、発光要素１０ａ〜１０ｆのうちの第１のセットに対する電気的接続をもたらすように構成することができ、接続構造体１５は、発光要素１０ａ〜１０ｆのうちの第２のセットに対する電気的接続をもたらすように構成することができ、例えば、発光要素１０ａ〜１０ｆのうちの第１のセットと、発光要素１０ａ〜１０ｆのうちの第２のセットとを、例えば、放射光の色温度又は強度に関して、それぞれ別々に制御することを容易又は可能にする。
【００５６】
各発光要素１０ａ〜１０ｆの第１の外側端面１１及び第２の外側端面１２の少なくとも一方が、発光要素１０ａ〜１０ｆのうちの次のものの第１の外側端面１１又は第２の外側端面１２に向むかう方向に向くように、発光要素１０ａ〜１０ｆを連続して配置することにより、かつ、各発光要素１０ａ〜１０ｆが、それぞれの発光要素１０ａ〜１０ｆの外周面１３の少なくとも一部分を少なくとも介して光を放射するように構成されていることにより、照明デバイス２０は、線形光源に沿って周囲に放射状に放射できる線形光源を形成してもよく、このことは、照明デバイス２０による光出力の均一な輝度を実現することを容易又は可能にし得る。また、照明デバイス２０は、それにより、例えば、フィラメント又はアークと同様の形状を有し得るとともに、例えば、フィラメント又はアークの形状の発光構成要素を有するように構成されたハロゲンランプ、フィラメントランプ、又は放電ランプと比較して、相対的に小さなサイズを有し得る、発光構成要素を提供することができる。
【００５７】
図２及び他の図は、発光要素１０ａ〜１０ｆが、真っ直ぐな又は実質的に真っ直ぐな方向に連続して配置されていることを示しているが、このことは必須ではないことを理解されたい。例えば、発光要素１０ａ〜１０ｆは、螺旋形状を呈するように連続して配置することができる。このことは、照明デバイス２０による光出力の均一な輝度を実現することを更に容易にし得る。
【００５８】
接続構造体１４及び／又は接続構造体１５は、熱拡散容量又は能力を呈するように構成されてもよい。代わりに又は加えて、接続構造体１４及び／又は接続構造体１５は、例えば、発光要素１０ａ〜１０ｆに電力供給するための電源（図２には示されていない）に発光要素１０ａ〜１０ｆを電気的に接続するように、発光要素１０ａ〜１０ｆに対する電気的接続をもたらすように構成されてもよい。図２に示されるように、接続構造体１４及び／又は接続構造体１５は、発光要素１０ａ〜１０ｆを直列に電気的に接続するように構成されてもよい。
【００５９】
図２に示される本発明の実施形態によれば、発光要素１０ａ〜１０ｆのそれぞれは、発光要素１０ａ〜１０ｆの少なくとも発光モジュール上に、例えば１つ以上の蛍光体を含む波長変換材料のコーティング又は層の形態の波長変換要素を備える。波長変換要素、例えば、波長変換材料は、発光要素１０ａ〜１０ｆの発光モジュールのそれぞれによって放射された光の少なくとも一部分を受け、受けた光を選択された波長域に変換するように構成されてもよい。
【００６０】
代わりに、発光要素１０ａ〜１０ｆの全ては、例えば、図３に概略的に示される、波長変換材料１８の共通のコーティング又は層の形態の共通の波長変換要素１８を「共有」してもよい。図２及び図３における同じ参照数字は、同じか又は同様の機能を有する同じか又は同様の構成要素を示している。波長変換材料１８のコーティング又は層は、例えば、１つ以上の蛍光体を含んでもよい。波長変換材料は、１つ以上の蛍光体に限定されるものではなく、代わりに又は加えて、量子閉じ込め構造体、ランタニド錯体、及び希土類金属元素の群における１つ以上の要素から選択される発光材料を含むことができる。
【００６１】
図４は、本発明の一実施形態による照明デバイス２０の極めて概略的な図である。図４に示される照明デバイス２０は、図２に示された照明デバイス２０と同様であり、図２及び図４における同一の参照数字は、同じか又は同様の機能を有する同じか又は同様の構成要素を示している。
【００６２】
図４に示される照明デバイス２０は、図４に示される照明デバイス２０の発光要素１０ａ〜１０ｆが、照明デバイス２０の（参照数字２３によって概略的に示される）中心軸線に沿う方向に連続して配置されている点と、発光要素１０ａ〜１０ｆが、発光要素１０ａ〜１０ｆが配置されている照明デバイス２０の中心軸線２３に沿う方向と垂直な方向で互いにオフセット又はシフトされるように配置されている点とで、図２に示された照明デバイス２０とは異なる。このことは、照明デバイス２０による光出力の均一な輝度を実現することを更に容易にし得る。図４に示されるように、異なる発光要素が、照明デバイス２０の中心軸線２３に沿う方向と垂直な異なる方向にオフセット又はシフトされてもよい。
【００６３】
図５は、本発明の一実施形態による照明デバイス２０の上方からの極めて概略的な図である。図５に示される照明デバイス２０は、図２及び図４に示された照明デバイス２０と同様であり、図５並びに図２及び図４における同一の参照数字は、同じか又は同様の機能を有する同じか又は同様の構成要素を示している。
【００６４】
図５に示される照明デバイス２０は、図５に示される照明デバイス２０が２つの追加接続構造体１６、１７を備える点で、図２及び図４に示された照明デバイス２０とは異なる。接続構造体１４、１５、１６、１７は、発光要素１０ａ〜１０ｆ（発光要素１０ａ及び１０ｂのみが図５に示されている）を相互接続するように構成されている。接続構造体１４、１５、１６、１７は、発光要素１０ａ〜１０ｆのそれぞれに、それぞれの外周面で接続されている。しかし、図５に示される照明デバイス２０に含まれる接続構造体の数は例によるものであり、照明デバイス２０に含まれる接続構造体の数は、図５に示されるより少なくても多くてもよいことを理解されたい。
【００６５】
図５に示される照明デバイス２０は、図５に示される照明デバイス２０では、発光要素１０ａ〜１０ｆが、照明デバイス２０の中心軸線（図５に示されていない）に沿う方向に連続して配置されている点で、かつ、少なくとも２つの発光要素、例えば、図５に示されるような発光要素１０ａ及び１０ｂが、照明デバイス２０の中心軸線又は中心軸線と平行な軸線を中心に互いに対して回転されるように配置されている点で、図２及び図４に示された照明デバイス２０とは異なる。このことは、照明デバイス２０による光出力の均一な輝度を実現することを更に容易にし得る。
【００６６】
図４及び図５に示される本発明の実施形態は、組み合わせることができるので、少なくとも２つの発光要素は、発光要素が配置されている照明デバイスの中心軸線に沿う方向と垂直な方向で互いにオフセットされるように、かつ中心軸線又は中心軸線と平行な軸線を中心に互いに対して回転されるように構成されてもよい。
【００６７】
図６は、本発明の一実施形態による照明デバイス２０の極めて概略的な側面図である。図６に示される照明デバイス２０は、図２に示された照明デバイス２０と同様であり、図２及び図６における同一の参照数字は、同じか又は同様の機能を有する同じか又は同様の構成要素を示している。
【００６８】
図６に示される照明デバイス２０は、図６に示される照明デバイス２０が２つの追加発光要素１０ｇ及び１０ｈを備える点で、図２に示された照明デバイス２０とは異なる。発光要素１０ａ〜１０ｈは、発光要素１０ａ〜１０ｈのそれぞれの第１の外側端面１１及び第２の外側端面１２の少なくとも一方が、発光要素１０ａ〜１０ｈのうちの次のものの第１の外側端面１１又は第２の外側端面１２に結合されるように、場合によっては直接結合されるように、積み重ね構成で配置されている。しかし、図６に示される照明デバイス２０に含まれる発光要素の数は例によるものであり、照明デバイス２０に含まれる発光要素の数は、図６に示されるより少なくても多くてもよいことを理解されたい。発光要素１０ａ〜１０ｈは、照明デバイス２０の中心軸線に沿う方向に積み重ね構成されている。
【００６９】
図６に示される照明デバイス２０は更に、図６に示される照明デバイス２０では、発光要素１０ａ〜１０ｈのそれぞれについて、中心軸線と平行な方向における発光要素１０ａ〜１０ｈの周面幅が、発光要素１０ａ〜１０ｈの外周面１３の異なる（例えば、少なくとも２つの）部分間で異なる点で、図２に示された照明デバイス２０とは更に異なっている。例えば、図６に示される本発明の実施形態によれば、発光要素１０ａ〜１０ｈのそれぞれについて、発光要素１０ａ〜１０ｈの第１の外側端面１１と発光要素１０ａ〜１０ｈの第２の外側端面１２とは、互いに角度をなして配置されている。つまり、発光要素１０ａ〜１０ｈのそれぞれは、発光要素１０ａ〜１０ｈの第１の外側端面１１と発光要素１０ａ〜１０ｈの第２の外側端面１２とが平行にならないように配置されている。そのような構成は、例えば、発光要素１０ａ〜１０ｈからの側方放射のための、それぞれの外周面１３を介した光の発光要素１０ａ〜１０ｈからの放射を容易にし得る。図６に示されるように、各発光要素１０ａ〜１０ｈの第１の外側端面１１及び第２の外側端面１２は、平坦又は実質的に平坦でもよい。
【００７０】
図７は、本発明の一実施形態による照明デバイス２０の極めて概略的な側面図である。図７に示される照明デバイス２０は、図２に示された照明デバイス２０と同様であり、図２及び図７における同一の参照数字は、同じか又は同様の機能を有する同じか又は同様の構成要素を示している。
【００７１】
図７に示される照明デバイス２０は、図７に示される照明デバイス２０が追加発光要素１０ｇを備える点で、図２に示された照明デバイス２０とは異なる。発光要素１０ａ〜１０ｇは、発光要素１０ａ〜１０ｇのそれぞれの第１の外側端面１１及び第２の外側端面１２の少なくとも一方が、発光要素１０ａ〜１０ｇのうちの次のものの第１の外側端面１１又は第２の外側端面１２に結合されるように、場合によっては直接結合されるように、積み重ね構成で配置されている。しかし、図７に示される照明デバイス２０に含まれる発光要素の数は例によるものであり、照明デバイス２０に含まれる発光要素の数は、図７に示されるより少なくても多くてもよいことを理解されたい。
【００７２】
図７に示される照明デバイス２０は、図７に示される照明デバイス２０では、発光要素１０ａ〜１０ｇの外周面１３が、平坦ではなく、図７に示されるように成形されている点で、図２に示された照明デバイス２０とは異なり、このことは、照明デバイス２０による光出力の均一な輝度を実現することを容易にし得る。発光要素１０ａ〜１０ｇの外周面１３は、発光要素１０ａ〜１０ｇの外周面１３を介して放射される光の所望の分布又は形状を得るために、図７に示されるのとは別の方式で成形されてもよいことを理解されたい。
【００７３】
図８は、本発明の一実施形態による照明デバイス２０の極めて概略的な側面図である。図８に示される照明デバイス２０は、図２に示された照明デバイス２０と同様であり、図２及び図８における同一の参照数字は、同じか又は同様の機能を有する同じか又は同様の構成要素を示している。図８に示される照明デバイス２０において、発光要素１０ａ〜１０ｆのそれぞれは、基板１９と、基板１９上に配置された発光モジュール１とを備える。発光モジュール１のサイズに対する基板１９のサイズは、必ずしも縮尺どおりではない。基板１９及び発光モジュール１は、発光要素のいくつかについてのみ参照数字によって示されている。発光要素１０ａ〜１０ｆのそれぞれについて、基板１９及び発光モジュールは、第１の外側端面１１が基板１９上に位置し、第２の外側端面１２が発光モジュール１上に位置するように配置されている。基板１９のいずれか１つ又はそれぞれは、例えば、少なくとも一部がサファイアで作製されてもよい。発光要素１０ａ〜１０ｆのいずれか１つ又はそれぞれは、例えば、少なくとも１つのＣＳＰ  ＬＥＤを備えてもよく、それぞれの発光モジュール１は、基板１９に直接取り付けられ得るＬＥＤダイの形態でもよい。したがって、発光モジュール１のいずれか１つ又はそれぞれは、例えば、少なくとも１つのＣＳＰ  ＬＥＤ及び／又は別の種類のＬＥＤを備えてもよく、あるいは少なくとも１つのＣＳＰ  ＬＥＤ及び／又は別の種類のＬＥＤによって構成されてもよい。本発明の１つ以上の他の実施形態によれば、照明デバイス２０の発光要素の全てが基板１９と、基板１９上に配置された発光モジュール１とを備えているとは限らないこと、かつ、照明デバイス２０の１つ以上の発光要素が、基板１９と、基板１９上に配置された発光モジュール１とを備えてもよいことを理解されたい。
【００７４】
図９は、本発明の一実施形態による照明デバイス２０の極めて概略的な側面図である。図９に示される照明デバイス２０は、図８に示された照明デバイス２０と同様であり、図８及び図９における同一の参照数字は、同じか又は同様の機能を有する同じか又は同様の構成要素を示している。しかし、図９に示される照明デバイス２０において、照明デバイス２０は、３つの発光要素１０ａ〜１０ｃを備え（ただし、照明デバイス２０は３つよりも少ない又は３つよりも多い発光要素を備えてもよい）、接続構造体１４、１５は、発光要素１０ａ〜１０ｃのそれぞれの同じ面に接続されている。
【００７５】
図９に示される照明デバイス２０において、発光要素１０ａ〜１０ｃのそれぞれは、基板１９と、基板１９の第１の面に配置された発光モジュール１と、基板１９の第２の面に配置された反射器２５とを備える。図９に示されるように、基板１９の第１の面と第２の面とは、基板１９の互いに反対側の面である。図９に示されるように、それぞれの発光要素１０ａ〜１０ｃの第１の外側端面１１は、反射器２５上に位置し、第２の外側端面１２は、発光モジュール１上に位置している。それぞれの発光要素１０ａ〜１０ｃの第１の外側端面１１及び第２の外側端面１２は、図９には参照数字によって示されていない。例えば、図８を参照されたい。
【００７６】
図９に示されるように、発光要素１０ａ〜１０ｃのそれぞれには、アノード２６及びカソード２７が設けられてもよい。
【００７７】
図９に示される照明デバイス２０において、発光要素１０ａ〜１０ｃのそれぞれには、それぞれの発光要素１０ａ〜１０ｃの周面１３（図９には参照数字によって示されていない。図８を参照されたい。）の一部分に配置された波長変換要素２が設けられている。発光要素１０ａ〜１０ｃのそれぞれの波長変換要素２は、発光モジュール１によって放射された光の少なくとも一部分を受け、受けた光を選択された波長域に変換するように構成されている。例えば発光要素１０ａ〜１０ｃのそれぞれの波長変換要素２は、例えば、１つ以上の蛍光体を含む波長変換材料の層又はコーティングを備えてもよい。
【００７８】
図１０及び図１１は、本発明の実施形態によるランプ２１、２２の概略図である。ランプ２１は、ハロゲンなどのフィラメントランプ、又は白熱交換ランプであり、ランプ２２は、高圧ナトリウム交換ランプなどのアークランプである。ランプ２１及び２２のそれぞれは、本発明の一実施形態による照明デバイス２０を備える。
【００７９】
図１２は、本発明の一実施形態による照明器具２４の概略図である。照明器具２４は、本発明の一実施形態による照明デバイス２０を備える。照明器具２４は、街路照明器具又は街路灯であるが、他の種類の照明器具が可能である。
【００８０】
図２〜図１２のうちのいずれか１つなど、本明細書に記載される本発明の実施形態のいずれか１つを参照すると、照明デバイスの接続構造体は、反射性であるように構成されてもよく、熱拡散容量若しくは能力を呈するように構成されてもよく、及び／又は発光要素に対する電気的接続をもたらすように、例えば、発光要素に電力供給するための電源に発光要素を電気的に接続するように構成されてもよい。
【００８１】
結論として、例えば積み重ね構成で、連続して配置された複数の発光要素を備える照明デバイスが開示される。照明デバイスは、発光要素のうちの少なくともいくつかを相互接続するように構成された少なくとも１つの接続構造体を備え、少なくとも１つの接続構造体は、発光要素のうちの少なくともいくつかに、それぞれの外周面で接続されている。照明デバイスは、線形光源に沿って、周囲に放射状に放射可能であり得る線形光源を形成してもよい。
【００８２】
本発明は、添付図面及び上記の説明において例示されているが、そのような例示は、説明的又は例示的なものであり、制限するものではないと見なされたく、本発明は、開示される実施形態に限定されるものではない。図面、本開示、及び添付の請求項の検討によって、開示される実施形態に対する他の変形形態が、当業者により理解されることができ、また、特許請求される発明を実施する際に実行されることができる。添付の請求項では、単語「備える（comprising）」は他の要素又はステップを排除するものではなく、不定冠詞「１つの（a）」又は「１つの（an）」は、複数を排除するものではない。特定の手段が、互いに異なる従属請求項内に列挙されているという単なる事実は、これらの手段の組み合わせが、有利に使用され得ないことを示すものではない。請求項中のいかなる参照符号も、範囲を限定するものとして解釈されるべきではない。
【図１】
2020513137.tif 000003
【図２】
2020513137.tif 000004
【図３】
2020513137.tif 000005
【図４】
2020513137.tif 000006
【図５】
2020513137.tif 000007
【図６】
2020513137.tif 000008
【図７】
2020513137.tif 000009
【図８】
2020513137.tif 000010
【図９】
2020513137.tif 000011
【図１０】
2020513137.tif 000012
【図１１】
2020513137.tif 000013
【図１２】
2020513137.tif 000014
【国際調査報告】
2020513137.tif 000015
2020513137.tif 000016
2020513137.tif 000017